(57)【特許請求の範囲】
【請求項１】
枚葉紙の前端をくわえる保持システムが他の機械部分（８）から間隔をおいて動かされ、前記機械部分（８）と共に枚葉紙幅にわたる隙間を取り囲んでおり、前記保持システムと前記機械部分（８）との間の前記隙間（１２）を十分に封鎖する手段（１０）を有しており、該手段（１０）は、枚葉紙を案内する前記機械部分（８）の材料よりも柔軟な可撓性材料から作られたふさぎ用細片またはふさぎ用突出部として構成されている、枚葉紙処理機械の枚葉紙搬送装置における少なくとも部分的に浮上して案内される枚葉紙を安定させる装置。
【請求項２】
前記ふさぎ用細片はブラシ状細片（１１）である、請求項１に記載の装置。
【請求項３】
前記ふさぎ用突出部はゴム製突出部（１４）である、請求項１に記載の装置。
【請求項４】
枚葉紙の前端をくわえる保持システムが他の機械部分（８）から間隔をおいて動かされ、前記機械部分（８）と共に枚葉紙幅全体におよぶ隙間を取り囲んでおり、前記保持システムと前記機械部分（８）との間の隙間（１２）を十分に封鎖する手段（１０）を有しており、該封鎖する手段（１０）は、枚葉紙案内用の前記機械部分（８）に実質的に平行にわずかな間隔をおいて延びる面（２５，２６）を有する案内部（１５，１６）を含んでいる、枚葉紙処理機械の枚葉紙搬送装置における少なくとも部分的に浮上して案内される枚葉紙を安定させる装置。
【請求項５】
前記案内部（１５）は、枚葉紙前縁用の前記保持システムに固定されたアングル形材である、請求項４に記載の装置。
【請求項６】
前記案内部（１６）は、くわえづめブリッジ（４）を所定の形状にすることによって形成されている、請求項４に記載の装置。
【請求項７】
前記案内部として形成された前記くわえづめブリッジは、上側の空気分流縁（１７）を有し、それによってスポイラーと類似のふさぐ働きをする、請求項６に記載の装置。
【請求項８】
前記封鎖する手段（１０）は、搬送チェーン（３）によって循環するくわえづめシステム（５）のくわえづめブリッジ（４）に配置されている、請求項１から７のいずれか１項に記載の装置。
【請求項９】
前記封鎖する手段（１０）は、枚葉紙輪転印刷機の枚葉紙案内胴（９）のシリンダーギャップ内で、くわえづめシステムの枚葉紙くわえづめの前に配置されている、請求項１から７のいずれか１項に記載の装置。
【発明の詳細な説明】
【０００１】
【発明の属する技術分野】
本発明は、請求項１の前提項に基づく、枚葉紙処理機械の枚葉紙搬送装置中において少なくとも部分的に浮上して案内される枚葉紙を安定させる装置に関する。
【０００２】
【従来の技術】
空気中を運動する物体によって排除される空気は、物体の前方でせき止められ次いで物体の周囲に沿って流れつつ、物体の後方で上下に交互に分離することは工学的に知らされている（たとえば、教科書“Ａｂｇｅｌｏｅｓｔｅ  Ｓｔｒｏｅｍｕｎｇｅｎ”流れの分離、Ｄｒ．−Ｉｎｇ．Ａｌｆｒｅｄ  Ｌｅｄｅｒ著、Ｖｉｅｗｅｇ  Ｖｅｒｌａｇ  １９９２）。これにより、物体の“死水領域”に回転方向が互いに反対向きの空気の渦が形成される。機械内で全面的もしくは部分的に浮上して搬送される枚葉紙、特に薄葉枚葉紙はこうした空気の渦の作用によりはためいて動揺させられることとなる。こうした空気の渦は枚葉紙保持システム、特に、枚葉紙くわえづめおよびくわえづめブリッジによって、枚葉紙の前端をくわえる保持システムの後方のいわゆる“死水領域”に発生する。他の機械部分に対してわずかに離れて相対運動する保持システムによってもたらされる枚葉紙の運動がこうした空気の乱れの作用を強化する結果、保持システムによって前端が保持された枚葉紙にエネルギーの相違した空気の渦が下方および上方から交互に作用して枚葉紙を動揺させることとなる。
【０００３】
この動揺運動を防止する対策として、種々の方法が知られている。同対策は、循環式の搬送チェーンに配置されたくわえづめシステムを備える排紙チェーンにあっては、くわえづめブリッジに配置された枚葉紙くわえづめよりなり、たとえば、上方あるいは下方から枚葉紙に衝撃力を与えるように形成された吹きつけ装置または吸引装置で構成されている。同吸引装置は印刷されていない枚葉紙裏側を固定された案内装置側に吸い寄せることを可能とする。枚葉紙を案内空気層で支えて搬送する浮上案内も行なわれるが、こうした案内空気層は空気の乱れによって攪乱される。枚葉紙の搬送を円滑に行なうためにこれらの吹きつけ装置または吸引装置を印刷機の枚葉紙案内胴等に設けることも公知に属する。もう一方の対策は枚葉紙案内のための狭い隙間を形成する案内板を配置する方法もある。
【０００４】
また、特開平６年第２７０３９２号には、チェングリッパに挟まれて走行する印刷紙のばたつきを防止するための遮蔽板を備えた排紙装置が開示されている。このチェングリッパは巡回するチェーンに両端を支持され、かつ、軸方向に爪座を複数個有するチェングリッパ軸と、このチェングリッパ軸に平行に旋回自在に支持され、かつ、軸方向に爪座にそれぞれ対向する爪を有する爪軸とから形成されている。そこで、このグリッパに挟まれて高速で移動する枚葉紙と紙ガイドとの間に空気流が入り込み、枚葉紙をばたつかせることを防止するために、爪軸にチェーン下方の紙ガイドとの間に微少隙間を残して爪の前面を一体に覆う例えば鋼板よりなる遮断板を設けることにより、グリッパに挟まれた枚葉紙と紙ガイドとの間に空気の流入を防止している。
【０００５】
しかしながらこの従来例の場合は、遮蔽板と紙ガイドとの間の隙間寸法が僅少であるためその設定が容易ではなく、もし遮蔽板の設定が非常に正確に行われなければ紙ガイドを傷つけてしまう危険が有るという欠点が有る。
【０００６】
【発明が解決しようとする課題】
本発明は前記とは異なる別途の方法を取る。本発明の目的は、枚葉紙処理機械において前述した空気の渦の形成を広範に防止し、それによって、補助的なエネルギーおよび案内装置を要することなく、機械中における枚葉紙搬送を安定させることである。
【０００７】
【課題を解決するための手段】
本発明は前記の目的を請求項１に記載の特徴を備えた装置によって解決する。
【０００８】
隙間ふさぎ材は保持システムと共同運動する補助的な案内要素ないしふさぎ要素としてそれを形成するか、または保持システム自体の構造形態によってそれを形成することができる。保持システムを特別に形成し、それにより、搬送される枚葉紙周囲に空気流が形成されることを広範に防止することも可能である。
【０００９】
これらの構成により、前端をくわえて枚葉紙を搬送する際保持システムの、空気の乱れの原因となる下側の流れを阻止する簡単な対策が実現され、なかんずく、枚葉紙の下側に保持された空気が空気の乱れによって押しのけられるのが防止される。保持システムと同システムがそれに対して相対運動する機械部分との間の隙間を完全にふさぐことは可能であるが、それは必ずしも絶対に不可欠であるわけではない。攪乱的な乱れのない枚葉紙下側の層流を発生させる隙間が枚葉紙と枚葉紙案内板との間に残存していてもよい。いずれの場合にも、枚葉紙下側に均質な空気層が作り出され、同空気層が枚葉紙と枚葉紙案内板との間の空間を連続的に完全に満たすことにより、接触のない安定した枚葉紙案内が保証される。こうして作り出された枚葉紙下側の基本的に層状の流れは平均して枚葉紙よりも緩慢に運動し、その流れ速度は枚葉紙速度のおおよそ二分の一である。その際、この空気流は接線応力、したがって枚葉紙運動方向とは逆方向の力もおよぼし、これにより枚葉紙はその運動方向とは反対方向にひっぱられることとなる。前端をくわえて枚葉紙を搬送する保持システムのための下側流れふさぎ材は非常にさまざまに形成することができる。枚葉紙処理機械、特に枚葉紙輪転印刷機の排紙装置に設けられた循環式搬送チェーンの保持システムについては、たとえば、保持システムに取り付けられ、枚葉紙前方に位置して同保持システムと共に循環するブラシ状細片が適切である。また、こうしたブラシ状細片に代えて、可撓性の材料、特にプラスチックまたはゴムその他柔軟な材料製のふさぎ板も適切である。ブラシ状細片ないし別の材料製のふさぎ板の端部周囲における空気流形成の防止には、ふさぎ板の両端に柔軟な材料製の案内用の成形体を形成することが適切である。こうした案内用成形体は、たとえば、航空機製作におけるいわゆる小翼として知られている。
【００１０】
特に、柔軟な材料製のふさぎ板により、枚葉紙の前端をくわえる保持システムと同システムに対して相対運動が可能な機械部分との間に所定の隙間を形成することが可能である。特に、個々の枚葉紙くわえづめが配置されているくわえづめブリッジを備えた保持システムの場合には、最小限の隙間を残したこうしたスポイラーを形成することが適切である。この場合、上側の分流縁を形成することによりスポイラーに類似した空気流の改良効果を結果させることができる。くわえづめブリッジの場合には前走システムにふさぎ板を配置することもできる。
【００１１】
枚葉紙案内胴に設けられた保持装置の場合には、保持装置たとえばくわえづめブリッジ前方のふさぎ材を枚葉紙案内胴のシリンダーギャップ内に配置し、これにより、保持装置の周囲に空気流が形成されそのため乱流が発生することを全面的もしくは部分的に防止することができ、枚葉紙案内胴部における枚葉紙案内と枚葉紙搬送との大幅な改善を実現することができる。隣接胴表面との衝突を回避するため、下側流れ防止材が隣接胴のシリンダーギャップに入り込み、それと同時に、同隣接胴への流れの転移を阻止するように流れ防止材を配置することも可能である。
【００１２】
【発明の実施の形態】
次に、本発明の実施形態について図面を参照して説明する。
【００１３】
図１は枚葉紙輪転印刷機の最終印刷ユニット２および同ユニットに接続する排紙装置１を示している。互いに平行な２本の循環式搬送チェーン３と、枚葉紙６を順次に枚葉紙搬送方向の前端でくわえる枚葉紙くわえづめ５を備え、搬送チェーンに一定間隔で取り付けられたくわえづめブリッジ４とで構成されるチェーン式搬送装置が枚葉紙を印刷ユニット２から枚葉紙パイル７に搬送し、枚葉紙を所定の位置で開放し、こうして枚葉紙が枚葉紙パイルに順次積み重ねられる。その際、枚葉紙６は、固定された機械部分である枚葉紙案内板に対して相対運動させられる。例示した印刷ユニット２において枚葉紙６は枚葉紙案内胴９で同じくくわえづめブリッジに配置された枚葉紙くわえづめ５によってその前端がくわえられ、特に渡し胴において、固定された枚葉紙案内板８と向かいあって動かされる。
【００１４】
安定した枚葉紙搬送に支障をもたらすと思われる空気の渦が形成されることを防止するため、枚葉紙くわえづめ５または枚葉紙前端をくわえるためのその他の保持システムを備えたくわえづめブリッジ４と枚葉紙案内板との間の隙間が、ふさぎ手段１０によって十二分にふさがれる。こうした隙間のふさぎは排紙装置１において枚葉紙前端をくわえる保持システムについても、印刷ユニット２の枚葉紙案内胴９において枚葉紙前端をくわえる保持システムについても共に実施することができる。
【００１５】
図２はくわえづめブリッジ４の枚葉紙搬送方向前方側に配置されているこの種のふさぎ手段１０の実施例を示している。同ふさぎ手段は、たとえば、くわえづめブリッジ４と枚葉紙案内板８との間の隙間１２をふさぐためのブラシ状細片１１で構成される。枚葉紙案内板８に対してある相対速度で運動するくわえづめブリッジ４に起因する枚葉紙６の下側流れの形成は前記ブラシ状細片によって回避されることから、くわえづめブリッジの上側に沿ってのみ空気流が形成され、空気の渦は枚葉紙の上方にしか形成されない。他方、枚葉紙の下側には共同運動する一定量の空気が残存し、これがクッションの役割を果たして枚葉紙を支えることから、接触のない枚葉紙搬送に支障をもたらす乱れが生ずることはない。ブラシ状細片１１はその他に、くわえづめブリッジ４と枚葉紙案内板８との間の隙間１２を汚染粒子から解放するのに役立つ。さらにその他、ブラシ状細片１１の毛のたわみ易い性質のため、枚葉紙案内板８が傷付けられないという効果も有る。さもなければこの案内板８には枚葉紙６の表面からまだ乾いていないインキが付着してブラシの毛で傷つけられる。そこでインキが非常に急速に堆積する恐れがあるので、この種の装置ではこのようなインキの堆積を避けることができる。
【００１６】
図３には本発明の特徴を前走ユニット１３を備えたくわえづめブリッジに応用した例が示されている。この場合、ふさぎ手段１０は前走ユニット１３の下側と枚葉紙案内板８との間ならびに前走ユニット１３と本来のくわえづめブリッジ４との間の双方に設けられなければならない。ふさぎ手段をさまざまに形成し得ることを明らかにするため、図３にあっては、前走ユニット１３とくわえづめブリッジ４との間にはブラシ状細片１１が配置され、前走ユニット１３と枚葉紙案内板８との間には好ましくは弾性の材料製のふさぎ板１４が配置されている。このふさぎ板１４の場合は、例えば、ゴム片とかプラスチック片とかにすることができる。枚葉紙案内板８よりもはるかに柔らかいこの種の材料で作られたふさぎ片により、枚葉紙案内板８は傷付けられず、図２について前述したのと同様の効果を確実に得ることができる。
【００１７】
図４にはアングル状の断面を備えたふさぎ用形材１５が示されており、同形材は一方の脚がくわえづめブリッジ４に固定され、他方の脚を枚葉紙案内板８からわずかに離して前進運動する。数センチメートルにわたって枚葉紙案内板８と平行に延びる下側の脚により次に延べる利点を得ることができる。すなわち、枚葉紙案内板８に対するふさぎ形材１５の間隔は、従来の技術として前述した特開平６−２７０３９２号のような単なる遮蔽板の場合よりも、ふさぎ効果が同一の条件でより大きく取ることができる。その理由は、脚１５の下側屈曲部分の下側の面（２５）と枚葉紙案内板８との間の空気流通路の長さがより長いことによるものである。したがって、この大きい間隔のために、もしこの枚葉紙案内板８の設定が正確に行われていない場合に生じる恐れの有る枚葉紙案内板８の損傷をより容易に避けることができる。
【００１８】
図５には、枚葉紙の前端をくわえるシステムと枚葉紙案内板との間の隙間をふさぐ手段（１０）について既述した構成とは異なり、くわえづめブリッジ４と枚葉紙案内板８との間の隙間がくわえづめブリッジ４自体の断面形状によってふさがれている状態が示されている。この場合、くわえづめブリッジ４は下方に向いた突出部として形成されたふさぎ用形材１６を有しており、同突出部はその下側の面（２６）を枚葉紙案内板８からわずかに離して運動し、こうした方法で隙間１２をふさぐこととなる。この種の異形突出部を設けることによって、突出部前面に空気の渦を形成させ、こうした空気の渦が突出部と枚葉紙案内板との間の隙間を封鎖するようにすることもできる。突出部の下側の面（２６）を枚葉紙案内板８に平行して数センチメートルにわたって形成することにより、図４について説明した先行例と同様の利点が生じる。
【００１９】
最後に、図６には、既述したふさぎ手段（１０）を枚葉紙案内胴９に設けた、枚葉紙前端をくわえる保持システムに応用した例が示されている。この実施例は、同じく、枚葉紙の搬送を行なうため枚葉紙６の前端をくわえ、固定された枚葉紙案内板８に対して相対運動する枚葉紙くわえづめ５を備えたくわえづめブリッジ４を示している。くわえづめブリッジの枚葉紙搬送方向前方側にはくわえづめブリッジ４と枚葉紙案内板８との間の隙間をふさぐためのふさぎ手段１０、たとえば、ブラシ状細片１１が配置されている。ブラシ状細片１１の代わりに、図２ないし図５において記載されたふさぎ板ないしふさぎ用形材１４，１５，１６が使用され得ることは自明である。この場合、ふさぎ用形材１５の下側の脚およびふさぎ用突出部１６の外形は、もちろん断面が円形に仕上げられなければならず、また、枚葉紙案内板８の内径に適合していなければならない。
【００２０】
以上に述べたふさぎ手段（１０）に代えてもしくはこの種のふさぎ手段（１０）を補完する形で、保持システム形材に分流縁（１７）を形成することによりスポイラーに類似したふさぎ効果を実現することができる（図５参照）。保持システムの端部周囲における空気流の形成を防止するため、特別なそらせ装置またはそらせ用の成形体を形成することによって所望の効果を補強することができる。
【００２１】
【発明の効果】
本発明により、枚葉紙の安定した搬送に支障をもたらす空気の渦の形成を広範に防止し、補助的なエネルギーを要したり、補助的な案内装置を設けたりすることなく、枚葉紙の搬送を安定化させることができる。前端をくわえて枚葉紙を搬送する保持システムによって生み出される、特に枚葉紙下側の乱流の発生を防止する対策が柔軟な材料の隙間ふさぎ手段あるいは保持システム自体の特別な形成によって多様且つ簡単に実現され得る。
【図面の簡単な説明】
【図１】枚葉紙輪転印刷機排紙装置を側面から見た図である。
【図２】くわえづめブリッジと枚葉紙案内板との間の隙間をふさぐブラシ状細片を側面から見た図である。
【図３】前走ユニットと枚葉紙案内板との間の隙間ならびに前走ユニットと後続するくわえづめユニットとの間の隙間をふさぐふさぎ板を側面から見た図である。
【図４】図２に示したものとは異なった構成のふさぎ用形材を側面から見た図である。
【図５】特別に形成されたくわえづめブリッジによる隙間ふさぎ用突出部を側面から見た図である。
【図６】枚葉紙案内胴に配置されたくわえづめブリッジと枚葉紙案内板との間の隙間ふさぎ用ブラシ状細片を側面から見た図である。
【符号の説明】
１  排紙装置
２  印刷ユニット
３  搬送チェーン
４  くわえづめブリッジ
５  枚葉紙くわえづめ
６  枚葉紙
７  枚葉紙パイル
８  枚葉紙案内板
９  胴
１０  ふさぎ手段
１１  ブラシ状細片
１２  隙間
１３  前走ユニット
１４  ふさぎ板
１５  ふさぎ用形材
１６  ふさぎ用形材
１７  分流縁
２５  面
２６  面
【図１】
0003606679.tif 000002
【図２】
0003606679.tif 000003
【図３】
0003606679.tif 000004
【図４】
0003606679.tif 000005
【図５】
0003606679.tif 000006
【図６】
0003606679.tif 000007